(57)【要約】【課題】各ＬＥＤの出射光を導光部材を通じて原稿に照射する構成であっても、ＣＣＤの出力を増幅するゲインコントロールアンプのゲインの調節処理が簡単な画像読取り装置を提供する。【解決手段】手前側の各ＬＥＤ５６ａによる白色基準部材５７の照度を奥側の各ＬＥＤ５６ｂによる白色基準部材５７の照度よりも予め高く設定しておき、各ＬＥＤ５６ａ、５６ｂにより白色基準部材５７を照明して、ＣＣＤ２７により白色基準部材５７を読取り、手前側の各ＬＥＤ５６ａによる白色基準部材５７の照度に対応するＣＣＤ２７の出力レベルを抽出して、この抽出した出力レベルが規定値となるようにゲインコントロールアンプ６４のゲインを調節している。【選択図】図５
2013179462.tif 000002
【特許請求の範囲】
【請求項１】
白色基準部材を照明する照明部と、前記白色基準部材を読取る光電変換素子と、前記光電変換素子の出力を増幅するゲインコントロールアンプと、前記ゲインコントロールアンプのゲインを制御する制御部とを備え、前記照明部は、導光部材と、前記導光部材の両端に設けられたそれぞれの発光素子とを備え、前記各発光素子の出射光を前記導光部材を通じて前記白色基準部材に照射する画像読取り装置であって、
前記各発光素子の出射光による前記白色基準部材のそれぞれの照度を互いに異ならせ、
前記制御部は、前記各照度のいずれか一方に対応する前記光電変換素子の出力レベルに基づき前記ゲインコントロールアンプのゲインを制御することを特徴とする画像読取り装置。
【請求項２】
請求項１に記載の画像読取り装置であって、
前記制御部は、前記各照度のうちの高い方の照度に対応する前記光電変換素子の出力レベルが規定値となるように前記ゲインコントロールアンプのゲインを設定することを特徴とする画像読取り装置。
【請求項３】
請求項１又は２に記載の画像読取り装置を備える画像形成装置。
【発明の詳細な説明】
【技術分野】
【０００１】
本発明は、原稿を照明して読取る画像読取り装置、及びその画像読取り装置を備える画像形成装置に関する。
【背景技術】
【０００２】
この種の画像読取り装置においては、原稿を副走査方向に搬送しつつ照明して、光電変換素子により原稿を主走査方向に繰り返し走査して読取ったり、あるいは原稿をプラテンガラス上に載置し、プラテンガラスを介して、原稿を照明し、光電変換素子により原稿を主走査方向に繰り返し走査して読取ったりしている。光電変換素子としては、ＣＣＤ(Charge Coupled Device)等が用いられる。また、原稿を照明する照明部としては、種々のものがあり、蛍光灯やＬＥＤアレイ等が用いられている。
【０００３】
また、特許文献１では、角柱状の導光部材の両端にそれぞれのＬＥＤを配置して、各ＬＥＤの出射光を導光部材の両端からその内部へと入射させ、導光部材の側面から光を出射して、この光により原稿を照明している。このような構成によりＬＥＤの個数を減らすことができ、また原稿を概ね均一に照明することができる。
【先行技術文献】
【特許文献】
【０００４】
【特許文献１】特開２０１０−５０５８７号公報
【発明の概要】
【発明が解決しようとする課題】
【０００５】
ところで、光電変換素子の出力を適確にＡ／Ｄ変換するべく、光電変換素子とＡ／Ｄ変換器との間にゲインコントロールアンプを挿入し、白色基準部材を照明して、光電変換素子により白色基準部材を読取り、このときの光電変換素子の出力レベルが規定値となるようにゲインコントロールアンプのゲインを調節している。これにより、Ａ／Ｄ変換器の入力レベルが適宜に調節され、Ａ／Ｄ変換が適確になされる。
【０００６】
しかしながら、特許文献１のように各ＬＥＤの出射光を導光部材を通じて原稿に照射する構成においては、各ＬＥＤの出射光による白色基準部材のそれぞれの照度が不明であるから、ゲインコントロールアンプのゲインの調節処理が煩雑になる。詳しくは、一方のＬＥＤの出射光により白色基準部材を照明して、光電変換素子の出力レベルをサンプリングし、引き続いて他方のＬＥＤの出射光により白色基準部材を照明して、光電変換素子の出力レベルをサンプリングし、各ＬＥＤに対応するそれぞれの出力レベルを比較して、高い方の出力レベルに対応するＬＥＤを選択し、選択したＬＥＤに対応する高い方の出力レベルが規定値となるようなゲインコントロールアンプのゲインを求める必要があり、よって光電変換素子の出力レベルのサンプリングを２回行う必要があり、ゲインの調節処理が煩雑であった。
【０００７】
そこで、本発明は、上記従来の問題点に鑑みなされたものであり、各ＬＥＤの出射光を導光部材を通じて原稿に照射する構成であっても、ＣＣＤの出力を増幅するゲインコントロールアンプのゲインの調節処理が簡単な画像読取り装置、及びその画像読取り装置を備える画像形成装置を提供することを目的とする。
【課題を解決するための手段】
【０００８】
上記課題を解決するために、本発明の画像読取り装置は、白色基準部材を照明する照明部と、前記白色基準部材を読取る光電変換素子と、前記光電変換素子の出力を増幅するゲインコントロールアンプと、前記ゲインコントロールアンプのゲインを制御する制御部とを備え、前記照明部は、導光部材と、前記導光部材の両端に設けられたそれぞれの発光素子とを備え、前記各発光素子の出射光を前記導光部材を通じて前記白色基準部材に照射する画像読取り装置であって、前記各発光素子の出射光による前記白色基準部材のそれぞれの照度を互いに異ならせ、前記制御部は、前記各照度のいずれか一方に対応する前記光電変換素子の出力レベルに基づき前記ゲインコントロールアンプのゲインを制御している。
【０００９】
このような本発明の画像読取り装置では、各発光素子の出射光による白色基準部材のそれぞれの照度を互いに異ならせているので、各照度のいずれか一方を予め選択して、この選択した照度に対応する光電変換素子の出力レベルに基づきゲインコントロールアンプのゲインを制御するようにしておけば、ゲインの調節処理が簡単になる。
【００１０】
また、本発明の画像読取り装置においては、前記制御部は、前記各照度のうちの高い方の照度に対応する前記光電変換素子の出力レベルが規定値となるように前記ゲインコントロールアンプのゲインを設定している。
【００１１】
この場合は、高い方の照度に応じてゲインが設定されるので、ゲインが低くなって、耐ノイズ性が向上する。
【００１２】
次に、本発明の画像形成装置は、上記本発明の画像読取り装置を備えている。
【００１３】
このような本発明の画像形成装置においても、上記本発明の画像読取り装置と同様の作用効果を奏する。
【発明の効果】
【００１４】
このような本発明では、各発光素子の出射光による白色基準部材のそれぞれの照度を互いに異ならせているので、各照度のいずれか一方を予め選択して、この選択した照度に対応する光電変換素子の出力レベルに基づきゲインコントロールアンプのゲインを制御するようにしておけば、ゲインの調節処理が簡単になる。
【図面の簡単な説明】
【００１５】
【図１】本発明の画像読取り装置の一実施形態を適用した画像形成装置を示す断面図である。
【図２】本実施形態の画像読取り装置の一部を拡大して示す断面図である。
【図３】図２の画像読取り装置における照明部を概略的に示す斜視図である。
【図４】図３の照明部を概略的に示す平面図である。
【図５】図２の画像読取り装置におけるＣＣＤの出力を処理する信号処理系を示すブロック図である。
【図６】照明部により白色基準部材を照明している状態を示す断面図である。
【図７】図３の照明部の各ＬＥＤによる白色基準部材の照度分布を示すグラフである。
【図８】図５のゲインコントロールアンプのゲインの調節処理を示すフローチャートである。
【発明を実施するための形態】
【００１６】
以下、本発明の実施形態を添付図面に基づき説明する。
【００１７】
図１は、本発明の光走査装置の一実施形態を適用した画像形成装置を示す断面図である。この画像形成装置１は、モノクロ画像を記録用紙に形成するものであり、その構成を大別すると、原稿搬送部（ＡＤＦ）１１、画像読取り装置１２、印刷部１３、記録用紙搬送部１４、及び給紙部１５等からなる。
【００１８】
原稿搬送部１１では、原稿を１枚ずつ原稿セットトレイ２１から引き出して原稿搬送経路２２を通じて搬送し、この原稿を排紙トレイ２３に排出する。
【００１９】
画像読取り装置１２は、原稿の搬送中に、第１走査ユニット２４の照明部２８によって原稿表面を照明し、第１及び第２走査ユニット２４、２５のミラーによって原稿表面からの反射光を結像レンズ２６へと導き、結像レンズ２６によって原稿表面の画像をＣＣＤ（Charge Coupled Device）２７上に結像する。ＣＣＤ２７は、原稿表面の画像を主走査方向に繰り返し読取り、原稿表面の画像を示す画像データを出力する。
【００２０】
また、原稿が画像読取り装置１２上面のプラテンガラス２９上に置かれた場合は、第１及び第２走査ユニット２４、２５を相互に所定の速度関係を維持しつつ移動させ、第１走査ユニット２４の照明部２８によってプラテンガラス２９上の原稿表面を照明し、第１及び第２走査ユニット２４、２５のミラーによって原稿表面からの反射光を結像レンズ２６へと導き、結像レンズ２６によって原稿表面の画像をＣＣＤ２７上に結像する。
【００２１】
ＣＣＤ２７から出力された画像データは、マイクロコンピュータ等の制御回路により各種の画像処理を施されてから、印刷部１３に出力される。
【００２２】
次に、印刷部１３は、画像データによって示される原稿を用紙に記録するものであって、感光体ドラム３１、帯電装置３２、光走査装置３３、現像装置３４、転写装置３５、クリーニング装置３６、及び定着装置３７等を備えている。
【００２３】
感光体ドラム３１は、一方向に回転しており、その表面をクリーニング装置３６によりクリーニングされてから、その表面を帯電装置３２により均一に帯電される。光走査装置３３は、画像データを入力し、この画像データに応じて光ビーム（レーザ光）を変調し、この光ビームを感光体ドラム３１に照射して、感光体ドラム３１表面に静電潜像を形成する。現像装置３４は、トナーを感光体ドラム３１表面に供給して、静電潜像を現像し、トナー像を感光体ドラム３１表面に形成する。転写装置３５は、感光体ドラム３１表面のトナー像を記録用紙搬送部１４により搬送されてきた記録用紙に転写する。定着装置３７は、記録用紙を加熱及び加圧して、記録用紙上のトナー像を定着させる。この後、記録用紙は、排紙トレイ３８へと更に搬送されて排出される。
【００２４】
記録用紙搬送部１４は、記録用紙を搬送するための複数の搬送ローラ４１、レジストローラ４２、搬送経路４３、及び排紙ローラ４６等を備えおり、記録用紙を給紙部１５から受け取って、記録用紙の先端をレジストローラ４２に突き当てて揃えた後、記録用紙を印刷部１３の転写装置３５へと搬送し、更に排紙ローラ４６により記録用紙を排紙トレイ３８へと搬送する。
【００２５】
給紙部１５は、複数の給紙トレイ５１を備えている。各給紙トレイ５１は、記録用紙を蓄積しておくためのトレイであり、ピックアップローラ５２により記録用紙を一枚ずつ引き出して記録用紙搬送部１４の搬送経路４３へと送り出す。
【００２６】
次に、画像読取り装置１２の第１走査ユニット２４の概略構成を説明する。図２は、画像読取り装置１２の一部を拡大して示す断面図であり、原稿搬送部１１により搬送されている原稿を読取るときの第１走査ユニット２４の近傍を示している。
【００２７】
図２に示すように第１走査ユニット２４は、原稿読取りガラス５１の下方に位置決めされている。原稿読取りガラス５１の上方には、原稿ガイド部材５２が配置されており、原稿ＭＳが原稿読取りガラス５１と原稿ガイド部材５２との隙間を通過する。このとき、第１走査ユニット２４の照明部２８により原稿読取りガラス５１を通じて原稿ＭＳを照明し、原稿からの反射光を第１走査ユニット２４のミラー５３で第２走査ユニット２５へと反射する。この反射光は、先に述べたように第２走査ユニット２５のミラーで結像レンズ２６へと反射され、更にＣＣＤ２７に入射する。
【００２８】
図３及び図４は、照明部２８を概略的に示す斜視図及び平面図である。図２乃至図４に示すように照明部２８は、四角柱状の２本の導光部材５４と、各導光部材５４の両端を支持する各支持部材５５と、各支持部材５５に収納されて、各導光部材５４の両端に配置された合計４個のＬＥＤ５６ａ、５６ｂとを備えている。ここでは、主走査方向に延在する各導光部材５４の一端（画像形成装置１の手前側）に２個のＬＥＤ５６ａを配置し、また各導光部材５４の他端（画像形成装置１の奥側）に２個のＬＥＤ５６ｂを配置している。
【００２９】
各支持部材５５は、各導光部材５４の長手方向に見ると、各導光部材５４を離間させてハの字型に支持し、各導光部材５４間にスリットＳｔを形成している（図２を参照）。各ＬＥＤ５６ａ、５６ｂの出射光は、各導光部材５４の端面５４ａからそれぞれの内部に入射し、各導光部材５４の上側面５４ｂから出射され、原稿読取りガラス５１を透過して原稿ＭＳに照射される（図２を参照）。そして、原稿ＭＳからの反射光は、原稿読取りガラス５１を透過し、各導光部材５４間のスリットＳｔを通過して、第１走査ユニット２４のミラー５３に入射して第２走査ユニット２５へと反射される。
【００３０】
各導光部材５４は、例えば透光性を有する合成樹脂を成形したものであり、端面５４ａ及び上側面５４ｂが光透過面に、他の側面がメッキ処理により反射面にされており、各ＬＥＤ５６ａ、５６ｂの出射光が端面５４ａから入射されると、この光が反射面で反射されて上側面５４ｂから出射され原稿読取りガラス５１を通じて原稿ＭＳに照射される。
【００３１】
図５は、ＣＣＤ２７の出力を処理する信号処理系を示すブロック図である。図５に示すようにＣＣＤ２７から出力されたアナログ信号は、アナログアンプ６１で増幅されてからＡＦＥ（Analog Front End）６２に入力される。ＡＦＥ６２では、アナログ信号をサンプリング回路６３でサンプリングして、サンプリングされたアナログ信号をゲインコントロールアンプ６４で増幅し、アナログ信号のレベルをオフセット設定回路６５でオフセットし、この後にアナログ信号をＡ／Ｄ変換器６６でデジタル信号に変換し、このデジタル信号を出力する。
【００３２】
ＳＣＡＮ ＡＳＩＣ(Application Specific Integrated Circuit)６７は、ＣＣＤ２７、ＡＦＥ６２、及び各ＬＥＤ５６ａ、５６ｂを制御したり、ＡＦＥ６２から出力されたデジタル信号に基づき白黒の二値信号を生成したり、シェーディング補正データを生成したりする。
【００３３】
ここで、画像読取り装置１２においては、ＣＣＤ２７の出力を適確にＡ／Ｄ変換するべく、図６に示すように第１走査ユニット２４を白色基準部材５７の下方に移動させて停止させ、第２走査ユニット２５を第１走査ユニット２４に従動させて停止させ、第１走査ユニット２４の照明部２８により白色基準部材５７を照明して、ＣＣＤ２７により白色基準部材５７を読取り、このときのＣＣＤ２７の出力レベルが規定値となるようにゲインコントロールアンプ６４のゲインを調節している。これにより、Ａ／Ｄ変換器６６の入力レベルが適宜に調節され、Ａ／Ｄ変換が適確になされる。
【００３４】
ところが、照明部２８では、各ＬＥＤ５６ａ、５６ｂの出射光を各導光部材５４を通じて原稿に照射していることから、手前側の各ＬＥＤ５６ａによる白色基準部材５７の照度及び奥側の各ＬＥＤ５６ｂによる白色基準部材５７の照度が不明である。このため、仮に、手前側の各ＬＥＤ５６ａにより白色基準部材５７を照明して、ＣＣＤ２７の出力レベルをサンプリングし、引き続いて奥側の各ＬＥＤ５６ｂにより白色基準部材５７を照明して、ＣＣＤ２７の出力レベルをサンプリングし、手前側の各ＬＥＤ５６ａ及び奥側の各ＬＥＤ５６ｂに対応するそれぞれの出力レベルを比較して、高い方の出力レベルに対応する各ＬＥＤを選択し、選択した各ＬＥＤに対応する高い方の出力レベルが規定値となるようなゲインコントロールアンプ６４のゲインを求めたならば、ゲインの調節処理が煩雑になってしまう。
【００３５】
そこで、本実施形態の画像読取り装置１２では、手前側の各ＬＥＤ５６ａによる白色基準部材５７の照度を奥側の各ＬＥＤ５６ｂによる白色基準部材５７の照度よりも予め高く設定しておき、各ＬＥＤ５６ａ、５６ｂにより白色基準部材５７を照明して、ＣＣＤ２７により白色基準部材５７を読取り、手前側の各ＬＥＤ５６ａによる白色基準部材５７の照度に対応するＣＣＤ２７の出力レベルを抽出して、この抽出した出力レベルが規定値となるようにゲインコントロールアンプ６４のゲインを調節している。これにより、ゲインの調節処理が簡単化される。
【００３６】
図７は、各ＬＥＤ５６ａ、５６ｂによる白色基準部材５７の照度分布を示すグラフである。図７のグラフから明らかなように手前側の各ＬＥＤ５６ａに近づく程、また奥側の各ＬＥＤ５６ｂに近づく程、白色基準部材５７の照度が高くなっており、手前側の方が奥側よりも照度が高くなっている。また、手前側の各ＬＥＤ５６ａと奥側の各ＬＥＤ５６ｂの中心近くで照度が低下している。このような照度分布の設定は、手前側の各ＬＥＤ５６ａの出射光の強度を奥側の各ＬＥＤ５６ｂの出射光の強度よりも高くすることによりなされる。
【００３７】
次に、図８のフローチャートを参照して、ゲインコントロールアンプ６４のゲインの調節処理を説明する。
【００３８】
まず、画像形成装置１の電源スイッチがオンにされると、原稿搬送部１１、画像読取り装置１２、印刷部１３、記録用紙搬送部１４、及び給紙部１５等への電力供給が開始されて、これらが起動する（ステップＳ１０１）。
【００３９】
このとき、画像読取り装置１２において、ＳＣＡＮ ＡＳＩＣ６７は、ＣＣＤ２７及びＡＦＥ６２を初期設定する（ステップＳ１０２）。例えば、ＣＣＤ２７を駆動するための各種のパルス信号のタイミングを初期設定したり、サンプリング回路６３によるアナログ信号のサンプリングタイミングを示すパルス信号のタイミングを設定したり、ゲインコントロールアンプ６４のゲインを初期設定したりする。
【００４０】
また、各ＬＥＤ５６ａ、５６ｂを点灯して、第１走査ユニット２４をホームポジションに移動させ、第２走査ユニット２５を第１走査ユニット２４のホームポジションに応じた位置に移動させる（ステップＳ１０３）。第１走査ユニット２４のホームポジションは、例えばセンサによる第１走査ユニット２４の検出位置に基づき設定される。
【００４１】
そして、ＳＣＡＮ ＡＳＩＣ６７は、基準ＤＣレベルのＥ／Ｏ差調整を行う（ステップＳ１０４）。基準ＤＣレベルのＥ／Ｏ差調整とは、奇数番目の画素に対応するアナログ信号と偶数番目の画素に対応するアナログ信号とが分かれてＣＣＤ２７から出力されることから、奇数番目と偶数番目との間でアナログ信号の基準ＤＣレベルを調整して一致させることである。この基準ＤＣレベルは、オフセット設定回路６５でのオフセットによりアナログ信号のレベルが「０」を割り込まないような値に設定される。
【００４２】
この後、図６に示すように第１走査ユニット２４を移動させて白色基準部材５７の下方に停止させ、第２走査ユニット２５を第１走査ユニット２４に従動させて停止させ、第１走査ユニット２４の照明部２８により白色基準部材５７を照明し、ＣＣＤ２７により白色基準部材を読取る（ステップＳ１０５）。このとき、ＣＣＤ２７から出力されたアナログ信号は、アナログアンプ６１で増幅され、サンプリング回路６３でサンプリングされて、ゲインコントロールアンプ６４で増幅され、オフセット設定回路６５でオフセットされてから、Ａ／Ｄ変換器６６でデジタル信号に変換される。
【００４３】
ＳＣＡＮ ＡＳＩＣ６７は、Ａ／Ｄ変換器６６からのデジタル信号を入力すると、このデジタル信号から手前側の各ＬＥＤ５６ａによる白色基準部材５７の照度に対応するデジタル信号を抽出する（ステップＳ１０６）。Ａ／Ｄ変換器６６から出力されるデジタル信号は、ＣＣＤ２７により読取られた主走査ライン上の各画素の光量を示すものであり、図７のグラフに示す白色基準部材５７の照度分布に対応する。このため、例えば主走査ライン上の手前側１／４の各画素の光量を示すデジタル信号を手前側の各ＬＥＤ５６ａによる白色基準部材５７の照度を示すものとして抽出することができる。
【００４４】
引き続いて、ＳＣＡＮ ＡＳＩＣ６７は、抽出した主走査ライン上の手前側１／４の各画素の光量を平均化して、主走査ライン上の手前側１／４の平均光量を求め、この平均光量に対応するＣＣＤ２７の出力レベル（アナログ信号のレベル）を最大出力レベルとして求める（ステップＳ１０７）。この平均光量は、主走査ライン上の手前側１／４の各画素の光量であるから、主走査ラインの最大光量であると概ねみなすことができ、ＣＣＤ２７の最大出力レベルに概ね対応する。
【００４５】
そして、ＳＣＡＮ ＡＳＩＣ６７は、ＣＣＤ２７の最大出力レベルをデフォルトの白基準値に対応するＣＣＤ２７の規定出力レベルと比較し、ＣＣＤ２７の最大出力レベルが規定出力レベルとなるようなゲインコントロールアンプ６４のゲインを求め、この求めたゲインにゲインコントロールアンプ６４のゲインを調節設定する。また、ＳＣＡＮ ＡＳＩＣ６７は、その求めたゲイン、及びステップＳ１０４で調整した基準ＤＣレベルの調整値をＳＣＡＮ ＡＳＩＣ６７に内蔵のメモリ等に記憶する（ステップＳ１０８）。
【００４６】
引き続いて、ＳＣＡＮ ＡＳＩＣ６７は、照明部２８による白色基準部材５７の照明、ＣＣＤ２７による白色基準部材の読取り、及びＡＦＥ６２によるＣＣＤ２７出力の処理等を再度行って、Ａ／Ｄ変換器６６からのデジタル信号を取得し、シェーディング補正データを生成してＳＣＡＮ ＡＳＩＣ６７に内蔵のメモリ等に記憶する。
【００４７】
更に、第１走査ユニット２４の照明部２８の各ＬＥＤ５６ａ、５６ｂを消灯し、また
第１走査ユニット２４をホームポジションに移動させ、第２走査ユニット２５を第１走査ユニット２４のホームポジションに応じた位置に移動させて、画像読取り装置１２を待機状態に設定する（ステップＳ１０９）。
【００４８】
この後、原稿の読取り開始に際しては、ＳＣＡＮ ＡＳＩＣ６７は、ステップＳ１０８で求めたゲイン及びステップＳ１０４で調整した基準ＤＣレベルの調整値をメモリから読み出して、ＡＦＥ６２におけるゲインコントロールアンプ６４のゲイン及びオフセット設定回路６５のオフセットを調節設定し、照明部２８による原稿の照明、ＣＣＤ２７による原稿の読取り、及びＡＦＥ６２によるＣＣＤ２７出力の処理等を再度行って、Ａ／Ｄ変換器６６からのデジタル信号を取得し、シェーディング補正データ等に基づきデジタル信号を補正して、画像データを生成出力する。
【００４９】
このように本実施形態の画像読取り装置１２では、手前側の各ＬＥＤ５６ａによる白色基準部材５７の照度を奥側の各ＬＥＤ５６ｂによる白色基準部材５７の照度よりも予め高く設定しておき、手前側の各ＬＥＤ５６ａによる白色基準部材５７の照度に対応するＣＣＤ２７の出力レベルを抽出して、この抽出した出力レベルが規定値となるようにゲインコントロールアンプ６４のゲインを調節しているので、ゲインの調節処理が簡単である。また、手前側の各ＬＥＤ５６ａによる白色基準部材５７の照度に対応するＣＣＤ２７の最大出力レベルが規定出力レベルとなるようなゲインを求めて設定しているので、つまり高い方の照度に応じてゲインを設定しているので、ゲインが低くなって、耐ノイズ性が向上し、またＡ／Ｄ変換器６６の出力がオーバーすることはない。
【００５０】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００５１】
１  画像形成装置
１１  原稿搬送部（ＡＤＦ）
１２  画像読取り装置
１３  印刷部
１４  記録用紙搬送部
１５  給紙部
２４  第１走査ユニット
２５  第２走査ユニット
２６  結像レンズ
２７  ＣＣＤ（光電変換素子）
２８  照明部
５４  導光部材
５５  支持部材
５６ａ、５６ｂ  ＬＥＤ（発光素子）
５７  白色基準部材
６１  アナログアンプ
６２  ＡＦＥ（Analog Front End）
６３  サンプリング回路
６４  ゲインコントロールアンプ
６５  オフセット設定回路
６６  Ａ／Ｄ変換器
６７  ＳＣＡＮ ＡＳＩＣ(制御部)
【図１】
2013179462.tif 000003
【図２】
2013179462.tif 000004
【図３】
2013179462.tif 000005
【図４】
2013179462.tif 000006
【図５】
2013179462.tif 000007
【図６】
2013179462.tif 000008
【図７】
2013179462.tif 000009
【図８】
2013179462.tif 000010